(57)【要約】【課題】  利用者の家具の利用位置に関わらず、常に最適な光を得ることができるとともに、室内の装飾効果を向上させることができる照明機能を備える家具を提供すること。【解決手段】  少なくとも一部が透光性及び可撓性を有する素材にて形成されたバルーンにて構成され、気体または液体が密封される内部室が少なくとも横方向に複数並設されてなるクッション本体２と、前記内部室それぞれに対応して配置され、該対応する内部室を下方から上方に向けて照射する複数の照射手段と、前記内部室それぞれに対応して配置され、対応する内部室の圧力を検出する複数の圧力検出手段と、前記圧力検出手段により検出された圧力に変化が生じたときに、該圧力に変化が生じた内部室に対応する照射手段の照射態様を変化させる制御を行う照射制御手段と、を備える。【選択図】  図４
2006110232.tif 000002
【特許請求の範囲】
【請求項１】
少なくとも一部が透光性及び可撓性を有する素材にて形成されたバルーンにて構成され、気体または液体が密封される内部室が少なくとも横方向に複数並設されてなるクッション本体と、
前記内部室それぞれに対応して配置され、該対応する内部室に向けて光を照射する複数の照射手段と、
前記内部室それぞれに対応して配置され、対応する内部室の圧力を検出する複数の圧力検出手段と、
前記圧力検出手段により検出された圧力に変化が生じたときに、該圧力に変化が生じた内部室に対応する照射手段の照射態様を変化させる制御を行う照射制御手段と、
を備えることを特徴とする照明機能を備える家具。
【請求項２】
前記クッション本体は、各々別個に形成された複数のバルーンにて構成される、ことを特徴とする請求項１に記載の照明機能を備える家具。
【請求項３】
前記照射手段を、前記クッション本体の下方に配置される基台の内部に設けた、ことを特徴とする請求項１または２に記載の照明機能を備える家具。
【請求項４】
前記透光性及び可撓性を有する素材を半透明のポリウレタン樹脂材とした、ことを特徴とする請求項１〜３のいずれかに記載の照明機能を備える家具。
【請求項５】
前記照射制御手段は、圧力が変化した期間よりも前記照射手段の照射態様を変化させる期間を長くする制御を行う、ことを特徴とする請求項１〜４のいずれかに記載の照明機能を備える家具。
【発明の詳細な説明】
【技術分野】
【０００１】
本発明は、例えばベッドやソファー等の家具に係わり、特には照明機能を備える家具に関する。
【背景技術】
【０００２】
従来、例えば室内のうち、該室内に配設されたベッドやソファー及びそれらの近傍付近を照らすための照明装置を備える家具としては、例えばベッドボードに設けたＬＥＤからの照射光を透過部材に透過させた透過光として、マットレス上面を照らすようにしたもの等がある（例えば、特許文献１参照）。
【０００３】
【特許文献１】特開２００３−２２９０１８号公報（第２頁、第１図）
【発明の開示】
【発明が解決しようとする課題】
【０００４】
しかしながら、上記特許文献１に記載のベッドの照明装置にあっては、光源（ＬＥＤ）はベッドの所定箇所に固設されているため、利用者がベッドを利用する際において、利用位置によっては光源からの距離が近すぎたり、あるいは遠すぎたりすることがあった。
【０００５】
さらに、照射光は常に単調であることから、光により室内を装飾するといった演出効果は得られなかった。
【０００６】
本発明は、このような問題点に着目してなされたもので、利用者の利用位置に関わらず常に利用者近傍を照明することができるとともに、室内の装飾効果を向上させることができる照明機能を備える家具を提供することを目的とする。
【課題を解決するための手段】
【０００７】
上記課題を解決するために、本発明の請求項１に記載の照明機能を備える家具は、
少なくとも一部が透光性及び可撓性を有する素材にて形成されたバルーンにて構成され、気体または液体が密封される内部室が少なくとも横方向に複数並設されてなるクッション本体と、
前記内部室それぞれに対応して配置され、該対応する内部室に向けて光を照射する複数の照射手段と、
前記内部室それぞれに対応して配置され、対応する内部室の圧力を検出する複数の圧力検出手段と、
前記圧力検出手段により検出された圧力に変化が生じたときに、該圧力に変化が生じた内部室に対応する照射手段の照射態様を変化させる制御を行う照射制御手段と、
を備えることを特徴としている。
この特徴によれば、例えば人がクッション本体に着座したり倒伏するなどしてクッション本体が部分的に押圧されると、押圧により圧力に変化が生じた内部室に対応する照射手段の照射制御が行われる。すなわち、利用者の利用位置に追従してクッション本体の照射態様が部分的に変化するため、常に利用者の近傍が明るくなるばかりか、利用者の利用状況に応じて照射光が変化することで室内の装飾効果が高まる。
なお、照射手段の照射制御とは、例えば光量の制御（調光）や、色光、点灯や点滅等の照射態様の制御等が含まれる。
【０００８】
本発明の請求項２に記載の照明機能を備える家具は、請求項１に記載の照明機能を備える家具であって、
前記クッション本体は、互いに別個に形成された複数のバルーンにて構成される、ことを特徴としている。
この特徴によれば、複数の内部室を容易に形成することができるばかりか、クッション本体の一部が破損した際等において、部分的な交換が可能となる。
【０００９】
本発明の請求項３に記載の照明機能を備える家具は、請求項１または２に記載の照明機能を備える家具であって、
前記照射手段を、前記クッション本体の下方に配置される基台の内部に設けた、ことを特徴としている。
この特徴によれば、内部室内に照射手段等を設ける必要がないので、製造が容易となるばかりか、照射手段の交換やメンテナンス等を容易に行うことができる。
【００１０】
本発明の請求項４に記載の照明機能を備える家具は、請求項１〜３のいずれかに記載の照明機能を備える家具であって、
前記透光性及び可撓性を有する素材を半透明のポリウレタン樹脂材とした、ことを特徴としている。
この特徴によれば、照射光がバルーンを構成する半透明のポリウレタン樹脂材内にて乱反射することで、クッション本体自体を効果的に明るくすることができる。
【００１１】
本発明の請求項５に記載の照明機能を備える家具は、請求項１〜４のいずれかに記載の照明機能を備える家具であって、
前記照射制御手段は、圧力が変化した期間よりも前記照射手段の照射態様を変化させる期間を長くする制御を行う、ことを特徴としている。
この特徴によれば、圧力の変化に比べて光の変化が鈍くなり、光の反応が柔らかくなるため、クッション本体のクッション性を光の演出により視覚的に表現することができる。
【発明を実施するための最良の形態】
【００１２】
本発明の実施例を以下に説明する。
【実施例】
【００１３】
本発明の実施例を図面に基づいて説明すると、先ず図1には、本発明における照明機能を備える家具の一実施例としてのソファー１の全体像を示す斜視図が示されている。ソファー１は、透光性を有する半透明のポリウレタン樹脂材により、内部に気体（空気）を密封可能な袋体として形成された可撓性を有する８個のバルーン２ａ〜２ｈからなるクッション本体２と、クッション本体２の下方に配置された基台４とから主に構成されている。
【００１４】
本実施例におけるクッション本体２は、図１及び図２に示されるように、横長略直方体状に各々独立して形成された８個のバルーン２ａ〜２ｈを基台４上に互いに隙間なく並設することにより構成され、図２中の中央から左右両側に向けて高さが段階的に低くなるように各バルーンが配置されている。これら各バルーン２ａ〜２ｈは、基台４の上面に固設された透明なアクリル樹脂材からなる環状筒６内に嵌め込まれ、位置ずれすることがないように配置されており、これら各バルーン２ａ〜２ｈの上面には利用者の着座部が形成されている。
【００１５】
基台４は、内部が中空に形成された円筒形状をなし、該基台４内には、図３の概略構造図に示されるように、各バルーン２ａ〜２ｈの空気室Ｒそれぞれに対応して配置され、該対応するバルーンの空気室Ｒを下方から上方に向けて照射する照射手段としての複数のＬＥＤ３からなる複数のＬＥＤモジュール３ａ〜３ｈと、各バルーン２ａ〜２ｈの空気室Ｒそれぞれに対応して配置され、対応する空気室Ｒの圧力を検出する複数の圧力検出手段としての空気圧センサ５と、空気圧センサ５により検出された圧力に変化が生じたときに、該圧力に変化が生じた空気室Ｒに対応するＬＥＤモジュール（３ａ〜３ｈ）のＬＥＤ３の光量を変化させる制御を行う照射制御手段としての制御部１０が設けられた制御基板１１とが配設されている。
【００１６】
ＬＥＤモジュール３ａ〜３ｈ及び空気圧センサ５は、図３に示されるように、基台４の内部における各バルーン２ａ〜２ｈに対応してそれぞれ配置されており、ＬＥＤモジュール３ａ〜３ｈのＬＥＤ３は、基台４の内部から上方のバルーン（２ａ〜２ｈ）に向けて照射可能に上向きに配置されている。基台４の上面は、特に図示はしないが透明板（例えば透明な合成樹脂板やガラス板等）にて構成されており、これらＬＥＤ３からの照射光は、前記透明板を透して上方に配置されたバルーン２ａ〜２ｈを照射するようになっている。このＬＥＤ３からの照射光がバルーン２ａ〜２ｈに照射されることで、該バルーン２ａ〜２ｈを構成する半透明のポリウレタン樹脂材による乱反射作用により、バルーン２ａ〜２ｈ自体が発光しているように見えることになる。
【００１７】
各空気圧センサ５の検出部と対応する空気室Ｒとは、図示しない連通パイプを介して連通されており、空気室Ｒから前記連通パイプを介して流出する気体により空気室Ｒ内部の空気圧が検出されるようになっている。なお、本実施例においては空気室Ｒには空気（気体）が注入されているが、液体を注入してもよい。
【００１８】
次に、本実施例のソファー１の構成を、図４に示されるブロック図に基づいて説明すると、本実施例のソファー１は、クッション本体２を構成する複数のバルーン２ａ〜２ｈと、バルーン２の空気室Ｒ内部の空気圧を検出する空気圧センサ５と、対応するバルーン２を下方から照射する複数のＬＥＤ３からなるＬＥＤモジュール３ａ〜３ｈと、ＬＥＤモジュール３ａ〜３ｈ及び空気圧センサ５がＩ／Ｏモジュールを介して接続され、これら各部の制御を行う制御部１０が設けられた制御基板１１とから構成されている。
【００１９】
次に、本実施例としてのソファー１の作用を、図５に基づいて説明する。
【００２０】
制御部１０は、いずれかのバルーン２ａ〜２ｈが圧縮されて空気室Ｒ内部の空気圧が所定の基準値まで上昇したことが検出されると、空気圧が前記所定の基準値に達したバルーン２ａ〜２ｈに対応するＬＥＤモジュール３ａ〜３ｈのＬＥＤ３を所定の光色（本実施例では青色）にて点灯させるとともに、空気圧がさらに上昇すれば該空気圧の上昇に応じてＬＥＤ３の光量を増加し、空気圧が低減すれば該空気圧の低減に応じてＬＥＤ３の光量を低減し、前記所定の基準値以下となったときにはＬＥＤ３を消灯させる制御を行う。
【００２１】
また、本実施例では、制御部１０は、各空気圧センサ５にて検出された圧力の範囲に対応して予め定められた光量にてＬＥＤ３を点灯させるようになっているため、空気圧の昇降に応じてＬＥＤ３の光量が段階的に増大または低減することになる。
【００２２】
具体的には、例えば図５に示されるように、クッション本体２上面の着座部に利用者が着座するなどして、クッション本体２の上面着座部の中央位置付近が下方に向けて押圧されると、押圧された中央付近のバルーン２ｄ、２ｅに対応するＬＥＤモジュール３ｄ、３ｅが、対応する空気圧センサ５にて検出された圧力に応じた光量にて点灯される。
【００２３】
ここで、これら中央のバルーン２ｄ、２ｅに隣接配置されたバルーン２ｃ、２ｆには直接外部からは力が加えられていないが、隣接するバルーン２ｄ、２ｅが横方向に膨らむように変形することにより押圧され、これらバルーン２ｃ、２ｆの空気室Ｒの空気圧も上昇するため、これらに対応するＬＥＤモジュール３ｃ、３ｆのＬＥＤ３も、対応する空気圧センサ５にて検出された圧力に応じた光量にて点灯される。
【００２４】
さらにバルーン２ｃ、２ｆに隣接するバルーン２ｂ、２ｇも、横方向に膨らむように変形したバルーン２ｃ、２ｆに押圧されることにより、これらに対応するＬＥＤモジュール３ｂ、３ｇのＬＥＤ３も、対応する空気圧センサ５にて検出された圧力に応じた光量にて点灯される。
【００２５】
図５中においては、斜線の密度が高いバルーンほどＬＥＤ３の光量が高い状態として示されており、図中矢印で示されるように、中央部付近にのみ外部から力が加えられたときには、力が直接加えられた中央部付近が最も明るくなり、周囲に向かうに従って段階的に暗くなる。
【００２６】
このように、本実施例におけるソファー１にあっては、例えば人がクッション本体２に人が着座したり倒伏するなどしてクッション本体２が部分的に押圧されると、押圧により圧力に変化が生じたバルーン２ａ〜２ｈの空気室Ｒに対応するＬＥＤモジュール３ａ〜３ｈのＬＥＤ３の照射制御が行われる。すなわち、利用者の利用位置に追従してクッション本体２の照射光量が部分的に変化（上昇または低減）するため、常に利用者の近傍が明るくなるばかりか、利用者の利用状況に応じて照射光量が変化することで、室内の装飾効果が高まる。
【００２７】
また、本実施例における制御部１０は、所定の空気室Ｒの空気圧が第１の値から第２の値まで上昇または下降するまでの期間（速度）に対して、ＬＥＤ３の光量を、前記空気圧の第１の値に対応する光量から前記空気圧の第２の値に対応する光量まで増大または低減させる期間（速度）を遅くする制御を行っている。具体的には、例えば所定の空気室Ｒの空気圧が第１の値から第２の値まで上昇するまで５００ｍｓの時間を要した場合、ＬＥＤ３の光量を前記空気圧の第１の値に対応する光量から前記空気圧の第２の値に対応する光量まで増大させる時間を例えば１秒とする。これにより、空気圧の変化に比べて光の変化が鈍くなり、光の反応が柔らかくなるため、空気からなるクッション本体２のクッション性を、光の演出により視覚的に表現することができる。
【００２８】
さらに、空気室Ｒの空気圧が下降する場合よりも上昇する場合の方が、ＬＥＤ３の光量を変化させる期間（速度）を速くしている。具体的には、例えば所定の空気室Ｒの空気圧が第１の値から第２の値まで上昇するまで５００ｍｓの時間を要した場合、ＬＥＤ３の光量を前記空気圧の第１の値に対応する光量から前記空気圧の第２の値に対応する光量まで増大させる時間を１秒としているのに対し、所定の空気室Ｒの空気圧が第２の値から第１の値まで下降するまで５００ｍｓの時間を要した場合、ＬＥＤ３の光量を前記空気圧の第２の値に対応する光量から前記空気圧の第１の値に対応する光量まで低減させる時間を１．５秒としている。これにより、ストレスを感じさせることなく光の変化を鈍くすることができる。
【００２９】
なお、本実施例における制御部１０によるＬＥＤ３の照射制御は、光量の制御（調光）であるが、例えば実施例とは逆に、空気室Ｒの空気圧が上昇することでＬＥＤ３の光量を低減させ、空気室Ｒの空気圧が下降することでＬＥＤ３の光量を増大させるようにしてもよい。
【００３０】
また、制御部１０によるＬＥＤ３の照射制御は、光量の制御（調光）のみに限定されるものではなく、例えば空気室Ｒの空気圧の変化に応じて、色光、点灯や点滅等の照射態様の制御を行うようにしてもよい。具体的には、通常時において全てのＬＥＤ３を点灯させておき、空気圧の変化があった空気室Ｒに対応するＬＥＤ３の照射光色を例えば青色から赤色等にグラデーション変化させるような制御を行うようにしてもよい。
【００３１】
また、本実施例における照射手段としてのＬＥＤ３は、クッション本体２の下方に配置される該クッション本体２と分離自在な基台４の内部に設けられているため、空気室Ｒの内部にＬＥＤ３等を設ける必要がないので、製造が容易となるばかりか、ＬＥＤ３の交換やメンテナンス等を容易に行うことができる。
【００３２】
なお、本実施例においては、照射手段としてのＬＥＤ３はクッション本体２の下方に配置されていたが、本発明はこれに限定されるものではなく、例えばＬＥＤ３をクッション本体２の空気室Ｒの内部に配設してもよい。また、照射手段の一例としてＬＥＤが適用されていたが、ランプ等を適用してもよい。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、上記実施例では、家具の一例としてソファー１が適用されていたが、本発明はこれに限定されるものではなく、椅子やベッド等に本発明を適用してもよい。また、ソファー１の形状も上記実施例に記載の形状に限定されるものではない。
【００３５】
また、上記実施例におけるクッション本体２は、各々独立して形成された複数のバルーン２ａ〜２ｈにて構成されていたが、内部室Ｒが区画壁にて複数に区画された１つのバルーンにて構成してもよい。
【００３６】
また、上記実施例におけるソファー１にあっては、複数のバルーン２ａ〜２ｈに対応する全てのＬＥＤ３の照射制御を１つの制御部１０が行うようになっていたが、例えば各バルーン２ａ〜２ｈに対応するＬＥＤ３、空気圧センサ５を制御する制御部同士を電気的に接続し、制御部同士で圧力や照射に関わる情報をやり取りして各ＬＥＤモジュールの照射制御を行いようにしてもよい。
【図面の簡単な説明】
【００３７】
【図１】本発明の実施例としてのソファーの全体像を示す斜視図である。
【図２】図１のＡ−Ａ断面図である。
【図３】図１のソファーの内部構造を示す要部概略図である。
【図４】図１のソファーの構成を示すブロック図である。
【図５】図１のソファーの作用を示す図である。
【符号の説明】
【００３８】
１                ソファー（家具）
２                クッション本体
２ａ〜２ｈ        バルーン
３                ＬＥＤ（照射手段）
３ａ〜３ｈ        ＬＥＤモジュール
４                基台
５                空気圧センサ（圧力検出センサ）
６                環状筒
１０              制御部（照射制御手段）
１１              制御基板
【図１】
2006110232.tif 000003
【図２】
2006110232.tif 000004
【図３】
2006110232.tif 000005
【図４】
2006110232.tif 000006
【図５】
2006110232.tif 000007